(57)【要約】【課題】食事の量を確保するための容積を確保しつつ、食後においてその外形を小さくして持ち運びを容易にする弁当箱を提供することを課題とする。【解決手段】上部が開口された本体２と、この本体の開口部を覆って設けられる着脱可能な蓋体３と、前記本体内に挿入されるとともに、ご飯が詰められる収納部４ａが形成された内容器４とからなり、前記本体が、その周壁が複数に分割されているとともに、底壁に対して折曲可能に形成され、これらの周壁間に、これらの周壁を相互に係脱可能に連結する係脱手段（６・７）が設けられ、前記内容器の少なくとも前記収納部が可撓性材料によって形成されている。【選択図】図１
0003192786.tif 000002
【実用新案登録請求の範囲】
【請求項１】
上部が開口された本体と、この本体の開口部を覆って設けられる着脱可能な蓋体と、前記本体内に挿入されるとともに、ご飯が詰められる収納部が形成された内容器とからなり、前記本体が、その周壁が複数に分割されているとともに、底壁に対して折曲可能に形成され、これらの周壁間に、これらの周壁を相互に係脱可能に連結する係脱手段が設けられ、前記内容器の少なくとも前記収納部が可撓性材料によって形成されていることを特徴とする弁当箱。
【請求項２】
前記係脱手段が、連結される一方の周壁に形成された凹部と、他方の周壁に形成され、前記凹部に嵌合させられる凸部とによって構成されていることを特徴とする請求項１に記載の弁当箱。
【請求項３】
前記係脱手段が、連結される一方の周壁に固着された永久磁石と、他方の周壁に固着された永久磁石若しくは磁性材料とによって構成されていることを特徴とする請求項１に記載の弁当箱。
【請求項４】
前記収納部が、上方が開口された有底筒状に形成され、かつ、その周壁が、底部から開口部へ向かうにしたがい漸次拡径するように傾斜面となされていることを特徴とする請求項１ないし請求項３の何れかに記載の弁当箱。
【請求項５】
前記収納部の周壁の周面に、その周方向に沿う環状溝が、所定間隔をおいて複数形成されていることを特徴とする請求項４に記載の弁当箱。
【請求項６】
前記蓋体が、前記本体に装着される中蓋と、この中蓋を覆って設けられる着脱可能な外蓋とによって構成されていることを特徴とする請求項１ないし請求項５の何れかに記載の弁当箱。
【請求項７】
前記前記中蓋には、具材や食器が収納される補助収納部が形成されていることを特徴とする請求項１ないし請求項６の何れかに記載の弁当箱。
【考案の詳細な説明】
【技術分野】
【０００１】
本考案は、弁当箱に係わり、特に、食後にその外形を小さくして持ち運びを容易にするようにした弁当箱に関するものである。
【背景技術】
【０００２】
従来の弁当箱として、たとえば、特許文献１に示されるように、上方が開口された箱形の本体に、ご飯やおかず等の具材を詰め、この本体の開口部に蓋を被せて携帯する構造のものが知られている。
【０００３】
そして、食事に際しては、前記蓋を開けて本体上部を開放し、この本体内のご飯や具材を、お箸を用いて食するようにしており、食事後は、前記本体に蓋をしてその開口部を閉じて収納し携帯するようにしている。
【先行技術文献】
【特許文献】
【０００４】
【特許文献１】特開２０１１−１１０３０９号公報
【考案の概要】
【考案が解決しようとする課題】
【０００５】
前述した従来の弁当箱においては、ご飯や具材等を詰めるためにある程度の容積が必要であるが、弁当箱の形状が変わらないことから、食後の空になった状態でもその容積は一定である。
したがって、食後でも、同じ大きさの空の弁当箱を持ち歩かなければならない。
【０００６】
また、前記ご飯を食する場合、その回りが前記弁当箱の本体によって取り囲まれていることから、ご飯を挟みづらく食しづらいこともある。
【０００７】
本考案は、前述した従来の技術において残されている問題点に鑑みてなされたもので、食事の量を確保するための容積を確保しつつ、食後においてその外形を小さくして持ち運びを容易にし、また、食事に際して、ご飯を容易に挟むことを可能にする弁当箱を提供することを課題とする。
【課題を解決するための手段】
【０００８】
本考案に係わる弁当箱は、前述した課題を解決するために、上部が開口された本体と、この本体の開口部を覆って設けられる着脱可能な蓋体と、前記本体内に挿入されるとともに、ご飯が詰められる収納部が形成された内容器とからなり、前記本体が、その周壁が複数に分割されているとともに、底壁に対して折曲可能に形成され、これらの周壁間に、これらの周壁を相互に係脱可能に連結する係脱手段が設けられ、前記内容器の少なくとも前記収納部が可撓性材料によって形成されていることを特徴としている。
【０００９】
本考案の弁当箱は、前記底部の回りに各週壁を立ち上げて、これらを係脱手段によって相互に連結することにより、上部に開口を備えた本体を組み上げ、この本体内に、その開口から前記内容器を挿入し、ついで、この本体上部に、その開口を覆って蓋体を装着することにより組み上げられる。
【００１０】
ここで、前記内容器の収納部にご飯を詰めておくことにより、弁当として携帯する。
【００１１】
食事の際には、前記蓋体を取り外して内部の内容器を取り出し、このうち容器の収納部を、その開口端部を底部へ向けて押し下げることにより、この収納部を収縮方向に変形させて、内部のご飯を露出させることができる。
【００１２】
あるいは、取り外した前記蓋体を、その内側が上向きとなるように返しておき、この蓋体に、前記内容器の開口部を対向させた後に、前記収容部の底部を押すことによって、その内部のご飯を前記蓋体上に押し出す。
これによって、ご飯が前記内容器から露出させられた状態となされ、容易に食することができる。
【００１３】
前記収納部がおにぎりの形状となされている場合、収納されているご飯もおにぎりの形状とすることができ、前述したように露出ないしは押し出された際におにぎりができあがり、かつ、露出させられていることにより手掴みが可能となる。
【００１４】
そして、食後においては、前記内容器の収納部を収縮させた状態にしてその高さを減少させておくとともに、前記本体の各週壁を底壁と重なる方向に折り畳むことにより扁平にし、これらの変形させられた前記内容器や本体を重ね、さらに、これらの上に、前記蓋体を重ねることにより、外形形状が小さな収納状態とすることができる。
これによって、持ち運びが容易となる。
【００１５】
前記係脱手段を、連結される一方の周壁に形成された凹部と、他方の周壁に形成され、前記凹部に嵌合させられる凸部とによって構成することによって、前記周壁どうしの係脱を、前記周壁の形状加工のみの簡便な方法で実現することができる。
【００１６】
また、前記係脱手段を、連結される一方の周壁に固着された永久磁石と、他方の周壁に固着された永久磁石若しくは磁性材料とによって構成することもできる。
【００１７】
このような構成とすることにより、前記各周壁間の係止力を高めて、これらによって構成される前記本体の形状維持効果を高めることができる。
【００１８】
また、前記収納部を、上方が開口された有底筒状に形成し、かつ、その周壁を、底部から開口部へ向かうにしたがい漸次拡径するように傾斜面とした形状とすることが好ましい。
【００１９】
このような構成とすることにより、たとえば、前記開口部を底部へ向けて押し下げて、前記収納部内のご飯を露出させる際に、前記周壁の変形を、前記ご飯から離間する方向に向けることができる。
【００２０】
これによって、前記ご飯の取り出しを容易にすることができるとともに、前記ご飯を押し潰すことなく取り出すことができる。
【００２１】
さらに、前記収納部の周壁の周面に、その周方向に沿う環状溝を、所定間隔をおいて複数形成しておくことにより、前記周壁の収縮方向への変形時に、この周壁の変形を前記環状溝において素早く許容することができ、前述したご飯の露出や押し出しを容易にすることができる。
【００２２】
また、前記蓋体を、前記本体に装着される中蓋と、この中蓋を覆って設けられる着脱可能な外蓋とによって構成することができる。
【００２３】
これによって、前記中蓋と前記外蓋との間に、前記内容器に形成されている収納部から切り離された空間部を形成することができ、この空間部を前記収納部に詰められたご飯と別の物品を分離して収納することができる。
【００２４】
そして、前記空間部を、前述した別の物品を収納する補助収納部とし、別の物品として、たとえば、食事のおかずやおにぎりの具材、若しくは、食器等を収納しておくことができる。
【考案の効果】
【００２５】
本考案の弁当箱によれば、食材を詰める際には、これらを収納する空間部を確保し、かつ、食後において前記空間部を減容させることにより、持ち運びや取り扱いを容易にすることができる。
【００２６】
また、食事の際に、収納しているご飯を容易に露出させることができ、その食を容易にする。
【図面の簡単な説明】
【００２７】
【図１】本考案の一実施形態を示すもので、弁当箱の分解斜視図である。
【図２】本考案の一実施形態を示すもので、食材等を詰め込んだ状態を示す弁当箱の分解斜視図である。
【図３】本考案の一実施形態を示すもので、食材等を詰め込んで閉じた状態を示す弁当箱の斜視図である。
【図４】本考案の一実施形態を示すもので、食材等を詰め込んで閉じた状態を示す弁当箱の拡大縦断面図である。
【図５】本考案の一実施形態を示すもので、食事の際に弁当箱を開ける手順を示す拡大縦断面図である。
【図６】本考案の一実施形態を示すもので、内容器からご飯を取り出す手順を示す拡大縦断面図である。
【図７】本考案の一実施形態を示すもので、本体を仕舞う際の手順を示す平面図である。
【図８】本考案の一実施形態を示すもので、本体を仕舞う際の手順を示す平面図である。
【図９】本考案の一実施形態を示すもので、本体を仕舞う際の手順を示す平面図である。
【図１０】本考案の一実施形態を示すもので、図９の正面図である。
【図１１】本考案の一実施形態を示すもので、図９の側面図である。
【図１２】本考案の一実施形態を示すもので、収納手順を説明するための正面図である。
【図１３】本考案の一実施形態を示すもので、収納状態を示す正面図である。
【図１４】本考案の他の実施形態を示す斜視図である。
【図１５】本考案の他の実施形態を示す斜視図である。
【考案を実施するための形態】
【００２８】
以下、本考案の一実施形態を、図面を参照して説明する。
これらの図において符号１は、本実施形態に係わる弁当箱を示し、この弁当箱１は、上方が開口された本体２と、この本体２の開口部を覆って設けられる着脱可能な蓋体３と、前記本体２内に挿入されるとともに、ご飯が詰められる収納部４ａが形成された内容器４とを備えている。
【００２９】
ついでこれらの詳細について説明すれば、前記本体２は直方体状に形成されており、矩形状の底壁２ｅと、この底壁２ｅを取り囲む４つの周壁２ａ・２ｂ・２ｃ・２ｄとからなり、前記各周壁２ａ・２ｂ・２ｃ・２ｄが、その下端部において、前記底壁２ｅに対して折曲可能に連結されている。
【００３０】
ここで、前記本体２は、たとえば合成樹脂によって一体に形成されており、前記底壁２ｅと各周壁２ａ・２ｂ・２ｃ・２ｄとの連結部において肉厚が薄く形成されて折曲部となされていることによって、前記各周壁２ａ・２ｂ・２ｃ・２ｄが、前記底壁２ｅと重なり合う位置と、前記底壁２ｅと同一平面を形成する位置との間で折曲可能となされている。
【００３１】
また、前記各周壁２ａ・２ｂ・２ｃ・２ｄの内側に位置させられる面には、前記底壁２ｅと平行で、かつ、この底壁２ｅから同一距離となるように突条５がそれぞれ形成されており、これらの突条５に、前記内容器４が載置されて支持されるようになっている。
【００３２】
さに、前記各周壁２ａ・２ｂ・２ｃ・２ｄ間には、隣り合う周壁２ａ・２ｂ（２ｃ・２ｄ）を相互に係脱可能に連結する係脱手段が設けられている。
【００３３】
本実施形態においては、前記係脱手段が、隣り合う一方の周壁２ａ（２ｃ）の両側縁に形成された係止溝６と、他方の周壁２ｂ（２ｄ）の両側縁に、面方向に沿って突設され、前記係止溝６に嵌合させられる係合突起７とによって構成されている。
【００３４】
そして、前記係合突起７が前記係止溝６に嵌合させられた状態において、相互に適度な摩擦が生じるようにその形状が設定されており、その摩擦力によって、隣り合う周壁２ａ・２ｂ・２ｃ・２ｄを連結するようになっている。
【００３５】
前記蓋体３は、本実施形態においては、前記本体２の開口を覆う内蓋８と、このうち蓋８を覆って設けられる外蓋９とによって構成されている。
【００３６】
前記内蓋８の下面には、前記組み上げられた本体２の各周壁２ａ・２ｂ・２ｃ・２ｄの上端部が嵌合させられる環状溝１０が形成され、これらの嵌合によって、前記内蓋８が前記本体２に着脱可能に装着されるようになっている。
【００３７】
また、前記内蓋８の上面には、その上面に補助収納部８ａを形成する環状壁１１が突設されており、この環状壁１１内が、複数の仕切り壁１２によって区画されて、前記補助収納部８ａが複数に分割されている。
【００３８】
前記上蓋９の下面側には、前記内蓋８の前記環状壁１１の外周形状と略同一の内部形状を有する凹部９ａが形成されており、この凹部９ａ内に前記環状壁１１が嵌合させられることによって、前記上蓋９が前記内蓋８に、前記収納凹部８ａを覆って着脱可能に装着されるようになっている。
【００３９】
さらに、前記内容器４は、たとえば、シリコーン等の極めて可撓性の高い材料によって形成されており、この内容器４に形成される前記収納部４ａが、本実施形態においては３つ設けられ、その開口部分において、平板状に形成された支持プレート４ｂによって相互に連結されている。
【００４０】
ここで、前記支持プレート４ｂは、前記各収納部４ａを連結するためのもので、これ自体に可撓性が要求されない。
したがって、この支持プレート４ｂを前記各収納部４ａと別の材料で形成してこれらを一体化するか、あるいは、同一材料によって形成し、厚みや形状等に変更を加えるによって剛性を持たせるようにしてもよい。
【００４１】
また、本実施形態においては、前記各収納部４ａ内部の断面形状がおにぎりの形状となるように形成され、かつ、その周壁が、底部から開口部へ向けて漸次拡径するように傾斜させられている。
【００４２】
ついで、このように構成された本実施形態に係わる弁当箱の使用方法について説明する。
【００４３】
まず、前記本体２の各周壁２ａ・２ｂ・２ｃ・２ｄを、その底壁２ｅに対して上方へ向けて直立させた後、隣り合う周壁どうしを、一方の周壁２ａ・２ｃに形成されている係止溝６に、他方の周壁２ｂ・２ｄに突設させられている係合突起７を嵌合させてこれらを連結することにより、上方が開放された前記本体２を組み上げる。
【００４４】
ついで、図２に示すように、前記内容器４の各収納部４ａ内にご飯１３を詰め込み、また、前記内蓋８の複数に区画された補助収納部８ａのそれぞれに、お箸１４や海苔等の具材１５を入れておく。
【００４５】
これより、前記内容器４を前記本体２の内部に挿入して、その支持プレート４ｂを、前記本体２の各周壁２ａ・２ｂ・２ｃ・２ｄの内側に形成されている突条５に係合させることにより、前記内容器４を前記本体２内に収納する。
【００４６】
ついで、前記内蓋８を、その下面に形成された環状溝１０に、前記各周壁２ａ・２ｂ・２ｃ・２ｄの上端部を嵌合させることにより、前記本体２に、その開口を覆うようにして装着する。
【００４７】
さらに、前記内蓋８の上部に、その上面に形成されている環状壁１２を、前記外蓋９の下面側に形成された凹部９ａに嵌合させつつこの外蓋９を装着する。
【００４８】
以上の手順によって、図３および図４に示すように、ご飯１３やお箸１４、および、具材１５が詰められた弁当箱１ができあがる。
【００４９】
食事の際には、まず、図５に示すように、前記外蓋９および前記中蓋８を前記本体２から取り外した後に、前記本体２から前記内容器４を取り出す。
【００５０】
ついで、前記内容器４を、たとえば、前記取り外した前記外蓋９の上に、前記内容器４の下部を接触させるように置いて、この内容器４の支持プレート４ｂを押し下げる。
【００５１】
このような操作によって、図６に示すように、前記内容器４の収納部４ａの周壁が、外方に膨らみつつ押し縮められるように変形させられて、詰められたご飯１３から離間させられるとともに、このご飯１３が露出させられる。
【００５２】
あるいは、前記内容器４を、前記収納部４ａの開口部を下方にして、この開口部を、たとえば、前記上蓋９に対向させた状態で、前記収納部４ａの底部を押し込むことによって、この収納部４ａ内のご飯１３を、前記上蓋９上に押し出す。
【００５３】
このように、前記ご飯１３が、露出若しくは押し出されることにより、前記内蓋８の補助収納部８ａに収納されているお箸１４を用いて食することができる。
あるいは、本実施形態においては、前記補助収納部８ａに具材１５として海苔が収納されていることから、この海苔によって前記ご飯１３を包んで食することができる。
【００５４】
そして、食後においては、前述したように、前記ご飯１３を露出ないしは押し出す際に、前記収納部４ａが縮むように変形させられた前記内容器４を、図６（ｃ）に示すように、そのままの状態にしておき、前記本体２を折り畳む。
【００５５】
すなわち、前記本体２の各周壁２ａ・２ｂ・２ｃ・２ｄを、前記係止溝６から前記係合突起７を引き抜くことによって、これらの嵌合を解除し、図７に示すように、これらを前記底壁２ｅの面方向に開き、ついで、一方の周壁２ａ・２ｃを、図８に示すように、前記底壁２ｅ上に重ね合わせるように折曲させ、さらに、他方の周壁２ｂ・２ｄを、図９に示すように、前記一方の周壁２ａ・２ｃと重ね合わせるように折曲させる。
【００５６】
このような操作により、前記本体２が、図１０および図１１に示すように、扁平状に折り畳まれる。
【００５７】
さらに、使用した前記お箸１４を、前記中蓋８の補助収納部８ａ内に戻し、この中蓋８に前記外蓋９を被せる。
【００５８】
ついで、このようにして折り畳まれた前記本体２、押し縮められた前記内容器４、および、前記外蓋９が被せられた前記内蓋８を、図１２に示すように、上下に対向させた後に、これらを、図１３に示すように、相互に重ね合わせることにより収納状態とすることができる。
【００５９】
このような収納状態と成された際に、本実施形態の弁当箱１を構成する主要構成部材が扁平状と成されていることにより大きく減容されており、これによって携帯が容易となる。
【００６０】
なお、前記実施形態において示した各構成部材の諸形状や寸法等は一例であって、設計要求等に基づき種々変更可能である。
【００６１】
たとえば、前記実施形態においては、前記係止手段として、前記係止溝７とこの係止溝７に嵌合させられる前記係合突起７とによって構成した例について示したが、これに代えて、たとえば、一方の周壁に永久磁石を固着し、他方の周壁に、前記永久磁石に吸着させられるように磁性体若しくは永久磁石を固着して係止手段を構成するようにしてもよい。
【００６２】
また、前記本体２を折り畳む際に、後に折り畳まれる他方の周壁２ｂ、２ｄが、先に畳まれている一方の周壁２ａ・２ｃ上に円滑に折り畳まれるようにするように、図７に破線で示すように、前記他方の周壁２ｂ・２ｄの外周面に、前記底壁２ｅから、前記一方の周壁２ａ・２ｃの厚さ分以上離間した位置に、折曲用の溝１６を形成するようにしてもよい。
【００６３】
また、前記内容器４の収納部４ａの縮み方向の変形を容易にし、かつ、その変形を外方へ向かせるための外周溝を、前記収納部４ａの周壁の外周面に複数形成しておくことも可能である。
【００６４】
さらに、図１４および図１５に示すように、前記内容器４を、前記収納部４ａ毎に分割しておくことも可能である。
このような構成とすることにより、おにぎりを一個ずつ取り出して食することができる。
【符号の説明】
【００６５】
１  弁当箱
２  本体
２ａ  周壁
２ｂ  周壁
２ｃ  周壁
２ｄ  周壁
２ｅ  底壁
３  蓋体
４  内容器
４ａ  収納部
４ｂ  支持プレート
５  突条
６  係止溝（係止手段）
７  係合突起（係止手段）
８  内蓋
８ａ  補助収納部
９  外蓋 
９ａ  凹部
１０  環状溝
１１  環状壁
１２  仕切り壁
１３  ご飯
１４  お箸
１５  具材
１６  溝
【図１】
0003192786.tif 000003
【図２】
0003192786.tif 000004
【図３】
0003192786.tif 000005
【図４】
0003192786.tif 000006
【図５】
0003192786.tif 000007
【図６】
0003192786.tif 000008
【図７】
0003192786.tif 000009
【図８】
0003192786.tif 000010
【図９】
0003192786.tif 000011
【図１０】
0003192786.tif 000012
【図１１】
0003192786.tif 000013
【図１２】
0003192786.tif 000014
【図１３】
0003192786.tif 000015
【図１４】
0003192786.tif 000016
【図１５】
0003192786.tif 000017
【手続補正書】
【提出日】平成26年6月27日(2014.6.27)
【手続補正１】
【補正対象書類名】実用新案登録請求の範囲
【補正対象項目名】請求項７
【補正方法】変更
【補正の内容】
【請求項７】
前記中蓋には、具材や食器が収納される補助収納部が形成されていることを特徴とする請求項６に記載の弁当箱。